(57)【特許請求の範囲】
【請求項１】
対象物に対して並べて取り付けられる複数のルーバと、
前記ルーバの前記対象物に対する取り付け状態に変化を与えない部材であって隣り合う前記ルーバ間を繋ぐ着脱可能な連結部材とを備え、
前記連結部材における前記隣り合うルーバのうちの一方のルーバとの連結部分の係合構造と他方のルーバとの連結部分の係合構造とが異なり、
前記連結部材は、前記一方のルーバとの係合構造では長手方向にスライドするものの幅方向にはスライドできず取付後は幅方向には抜けない構造の形をしており、前記他方のルーバとの係合構造では長手方向及び幅方向の両方にスライドする構造の形をしており、
前記各ルーバにおける前記連結部材と繋がる連結部分の構造は、一方側と他方側とは異なる形であってそれぞれが前記連結部材の繋がる連結部分の形に対応する形をしている、ルーバと連結部材との組み合わせ。
【請求項２】
前記各ルーバ同士は隣り合って対向する壁面部を有し、
前記連結部材は前記壁面部間をわたらせるものであってスライド構造により着脱可能である、請求項１記載のルーバと連結部材の組み合わせ。
【請求項３】
前記各ルーバは複数の下地材に並べて取り付けられ、
前記連結部材は、前記下地材とは別のものであって前記下地部材を覆う位置で前記ルーバ間を繋ぐことが可能である、請求項１又は２記載のルーバと連結部材の組み合わせ。
【請求項４】
前記連結部材が配置されることによって標識とできることを特徴とする、請求項１から３のいずれかに記載のルーバと連結部材の組み合わせ。
【請求項５】
対象物に対して並べて取り付けられるルーバであって、
前記ルーバの前記対象物に対する取り付け状態に変化を与えない部材であって隣り合う前記ルーバ間を繋ぐ着脱可能な連結部材と連結する構造を有し、
前記連結部材における前記隣り合うルーバのうちの一方のルーバとの連結部分の係合構造と他方のルーバとの連結部分の係合構造とが異なり、
前記連結部材は、前記一方のルーバとの係合構造では長手方向にスライドするものの幅方向にはスライドできず取付後は幅方向には抜けない構造の形をしており、前記他方のルーバとの係合構造では長手方向及び幅方向の両方にスライドする構造の形をしており、
前記各ルーバにおける前記連結部材と繋がる連結部分の構造は、一方側と他方側とは異なる形であってそれぞれが前記連結部材の繋がる連結部分の形に対応する形をしている、ルーバ。
【請求項６】
対象物に対して並べて取り付けられる複数のルーバに対し、前記ルーバの前記対象物に対する取り付け状態に変化を与えない部材であって隣り合う前記ルーバ間を繋ぐ着脱可能な連結部材であって、
前記各ルーバにおける前記連結部材と繋がる連結部分の構造は、一方側と他方側とは異なる形であってそれぞれが前記連結部材の繋がる連結部分の形に対応する形をしており、
前記隣り合うルーバのうちの一方のルーバとの連結部分の係合構造と他方のルーバとの連結部分の係合構造とが異なり、
前記一方のルーバとの係合構造では長手方向にスライドするものの幅方向にはスライドできず取付後は幅方向には抜けない構造の形をしており、前記他方のルーバとの係合構造では長手方向及び幅方向の両方にスライドする構造の形をしている、連結部材。
【発明の詳細な説明】
【技術分野】
【０００１】
本発明は、ルーバと連結部材の組み合わせ、ルーバ、及び、連結部材に関し、特に、建築物等に用いられるルーバと連結部材の組み合わせ等に関する。
【背景技術】
【０００２】
図１４は従来のルーバを説明するための図である。図１５は図１４のＡの方向から見た側面図である。
【０００３】
図１４及び図１５を参照して、特許文献１に示されているように、複数のルーバ５０は、対象物を隠すための目隠し等で用いられる。各ルーバ５０は、壁材５１と受け材５２とを備えている。ルーバ５０は、長手方向に並んで、建築物の壁躯体５３に直接設置されている。各ルーバ５０は、所定の間隔を隔てて、ビス５５で締結されて、建築物の壁躯体５３に固定されている。
【０００４】
図１６は従来のルーバの他の使用状態を説明する図である。
【０００５】
図１６を参照して、ここでのルーバ５７は、建築物に取り付けられた下地材５９に取り付けられている。ここで、下地材５９は、仕上げ材であるルーバ５７を取り付けるための部材である。下地材５９を使う理由としては、図１４等のようにはルーバを壁躯体に取り付けることができない場合があることに加え、壁そのものへの負担等を考慮して下地材５９を使うことも多い。このようなルーバ５７の下地材５９への取付けは、本願の出願人も行っている。
【０００６】
なお、ルーバは、上記のような壁の他、機械設備、鉄骨、さらには特許文献２に記載されているようなプランター等の対象物に対して、屋外だけでなく屋内でも用いられている。
【先行技術文献】
【特許文献】
【０００７】
【特許文献１】特開２０１１−１１７２４３号公報
【特許文献２】特開２００８−１６９５９１号公報
【発明の概要】
【発明が解決しようとする課題】
【０００８】
しかしながら、今までのルーバでは、その間は隙間があくことが前提になっており、現場毎に開口場所や開口率を調整したものにしたいというニーズがある他、設置後に開口場所や開口率を変更したいというニーズもあるが、対応できないという問題があった。
【０００９】
また、特に、下地材を使う場合には、ルーバとの間で下地材が見えてしまい、美観等の点で、好ましいものとは言えないという問題もあった。
【００１０】
ゆえに、本発明は、簡単な設置で下地材を隠すことが可能で、開口場所や開口率の調整と変更を可能にしたルーバと連結部材の組み合わせ、そのルーバ、及び、連結部材を提供することを目的とする。
【課題を解決するための手段】
【００１１】
本発明の第１の観点は、対象物に対して並べて取り付けられる複数のルーバと、前記ルーバの前記対象物に対する取り付け状態に変化を与えない部材であって隣り合う前記ルーバ間を繋ぐ着脱可能な連結部材とを備えた、ルーバと連結部材との組み合わせである。
【００１２】
なお、対象物は、建築物の壁、機械設備、鉄骨、プランター等のようなものでもよい。また、設置場所は、屋外だけでなく屋内でもよい。
【００１３】
これにより、連結部材を取り付けることにより、開口場所と開口率を調整、変更できる。
【００１４】
本発明の第２の観点では、第１の観点において、前記各ルーバ同士は隣り合って対向する壁面部を有し、前記連結部材は前記壁面部間をわたらせるものであってスライド構造により着脱可能である。
【００１５】
これにより、連結部材を簡単に装着でき、取り付けを容易に行える。また、外すことも容易に行える。
【００１６】
本発明の第３の観点では、第１又は第２の観点において、前記各ルーバは複数の下地材に並べて取り付けられ、前記連結部材は前記下地材とは別のものであって前記下地材を覆う位置で前記ルーバ間を繋ぐことが可能である。
【００１７】
これにより、連結部材で下地材を覆って隠すことができる。
【００１８】
本発明の第４の観点は、第１から第３の観点のいずれかにおいて、前記連結部材が配置されることによって標識とできることを特徴とするものである。
【００１９】
本発明の第５の観点は、対象物に対して並べて取り付けられるルーバであって、前記ルーバの前記対象物に対する取り付け状態に変化を与えない部材であって隣り合う前記ルーバ間を繋ぐ着脱可能な連結部材と連結する構造を有するルーバである。
【００２０】
本発明の第６の観点は、対象物に対して並べて取り付けられる複数のルーバに対し、前記ルーバの前記対象物に対する取り付け状態に変化を与えない部材であって隣り合う前記ルーバ間を繋ぐ着脱可能な連結部材である。
【発明の効果】
【００２１】
本発明によれば、ルーバ間を繋ぐ着脱可能な連結部材によって、開口場所と開口率を調整、変更することができる。特に下地材が用いられている場合には、その下地材を隠すことができ、美観を向上させることができる。また、連結部材の配置を工夫することによって、文字や図形等を表すことができ、標識として使うこともできる。さらに、連結部材が複数のピースのように分かれていることによって、一部が破損したとしても、交換を容易に行えるという効果も得られる。加えて、連結部材の取付にスライド構造を用いれば、その設置を簡単に行えるため、当初の取付時の他、開口場所や開口率の変更に合わせた着脱も簡単に行える。
【図面の簡単な説明】
【００２２】
【図１】本発明の実施の形態におけるルーバが下地材に設置される状態を示した図である。
【図２】図１のルーバを側面から見て拡大した図である。
【図３】図１のルーバ間を繋ぐ連結部材を側面から見て拡大した図である。
【図４】図１のルーバに図３の連結部材を装着する状態を示した図である。
【図５】図４のルーバと連結部材との組み合わせを側面から見て拡大した図である。
【図６】ルーバの間を連結部材で全て覆って塞いで開口率がゼロの状態を示した図である。
【図７】図６の状態と比較してルーバの間をランダムに連結部材で覆って所望の開口率とした状態を示した図である。
【図８】図７の状態を建築物の壁全体をとして示した図である。
【図９】図３に示した連結部材とは形状が異なる連結部材を示した図である。
【図１０】図３及び図９に示した連結部材とは形状が異なる連結部材を示した図である。
【図１１】図３、図９及び図１０に示した連結部材とは形状が異なる連結部材を示した図である。
【図１２】図３の連結部材を用いた図５のルーバと連結部材との組み合わせに対応する図であって、図９、図１０及び図１１に示した連結部材を用いたルーバと連結部材との組み合わせを側面から見て拡大した図である。
【図１３】図３、図９、図１０及び図１１に示した連結部材とは形状が異なる連結部材を示した図である。
【図１４】従来のルーバを説明するための図である。
【図１５】図１４のＡの方向から見た側面図である。
【図１６】従来のルーバの他の使用状態を説明する図である。
【発明を実施するための形態】
【００２３】
以下に本発明の実施の形態について図面を参照して詳細に説明するが、本発明はこれに限定されるものではない。
【００２４】
図１は発明の実施の形態におけるルーバが下地材に設置される状態を示した図である。図２は図１のルーバを側面から見て拡大した図である。図３は図１のルーバ間を繋ぐ連結部材を側面から見て拡大した図である。図４は図１のルーバに図３の連結部材を装着する状態を示した図である。図５は図４のルーバと連結部材との組み合わせを側面から見て拡大した図である。図１〜図５を参照して、ルーバ３と連結部材５の組み合わせ１について説明する。
【００２５】
図１に示すように、長手方向に並べられた複数のルーバ３が下地材６に取り付けられる。下地材６は、ルーバ３で隠す等の対象物である建築物の壁などに取り付けられる。ルーバ３は、図２に示すように、断面が略長方形の長手方向にのびる筒状の形をしており、底面部７と上面部９との間で垂直に立ち上がった両壁面部１１ａ，１１ｂにより、全体が形作られている。
【００２６】
図２に示すように、壁面部１１ａの下側には、長手方向にのびた断面が略円形状で略円柱状の凹み部１３が形成されている。これに対し、図３に示すように、連結部材５の幅方向の一方側５ａは、凹み部１３に対応する形状をしている。そして、凹み部１３は、図３に示す連結部材５の幅方向の一方側５ａが図４に示すようにスライドできつつ係合可能となるように、長手方向に沿って略円柱状の空間が形成される形をしている。連結部材５の幅方向の一方側５ａは、対応する形として、凹み部１３に対応する形状をしており、断面の外周が略円形状をしている。
【００２７】
一方、壁面部１１ｂの下側には、長手方向にのびた断面が四角形で平板状の凹み部１５が形成されている。これに対し、図３に示すように、連結部材５の幅方向の他方側５ｂは、凹み部１５に対応する形状をしている。そして、凹み部１５は、図３に示す連結部材５の幅方向の他方側５ｂが図４に示すようにスライドできつつ係合可能となるように、長手方向に沿って平板状の空間が形成される形をしている。連結部材５の幅方向の他方側５ｂは、対応する形として、凹み部１５に対応する形状をしており、断面が四角形で平板状をしている。ここで、図５に示すように、ルーバ３の凹み部１５と連結部５の他方側５ｂとの間では、互いに固定できる状況になっている。具体的には、一定間隔で、ビス１７でビス留めできるようにしている。これにより、連結部材５がルーバ３にしっかり固定されて取り付けられ、装着状態が安定するものになっている。ビスを外せば、ルーバ３を下地材７に取り付けたままで、連結部材５をルーバ３から外すこともできる。
【００２８】
このようなルーバ３のスライド構造によって簡単な設置が可能になり、連結部材５の一方側５ａが一つのルーバ３の凹み部１３にスライドして係合し、連結部材５の他方側５ｂが隣のルーバの凹み部１５にスライドして係合し、隣り合うルーバ３同士が連結され、ルーバ３間の隙間が覆われて塞がれることになる。
【００２９】
なお、ルーバ３の凹み部１３と連結部材５の一方側５ａの形状の関係は、連結部材の幅方について抜けが生じないように上記した形状にしているが、例えば、一方端側５ａの形として、断面が円形状の円柱状でもよく、抜けを防止できる点からしても、例えば断面がＴ字状のような他の形状でもよい。なお、一方端側５ａがＴ字状の場合に、凹み部１３がそれに対応したＴ状の空間が長手方向にのびる形状にしてもよい。さらには、ルーバ３の凹み部１３の形状を平板状に限らず凹み部１５と同じ形状にしてもよく、その場合には、連結部材５の一方側５ａを同じく平板状に限らず他方側５ｂと同じ形状にしてもよい。
【００３０】
また、ルーバ３と連結部材５との間の固定は、上記したようにビス留めを用いて着脱を行えるようにしたが、他の固定の手法を用いてもよい。ここで、連結部材５の交換等の場所の配置替えを考慮すれば、可能な限り、固定を十分なものとしながら外すときは容易なものとすることが好ましい。但し、連結部材５を１度固定して、その後に外すこともほとんどないのであれば、ビス留めを行わなくても嵌合に近い状態で固定してしまってもよい。
【００３１】
図６はルーバの間を連結部材で全て覆って塞いで開口率がゼロの状態を示した図である。図７は図６の状態と比較してルーバの間をランダムに連結部材で覆って所望の開口率とした状態を示した図である。図８は図７の状態を建築物の壁全体をとして示した図である。
【００３２】
ここで、図６では、色の異なる２種類の連結部材を用いている。第１の色の連結部材５１１と第２の色の連結部材５１２とを交互に使用して、ルーバ３だけでは不可能な新たな美観を作り出している。また、図７では、色の異なる３種類以上の連結部材を用いているが、連結部材で塞がれていないことによる開口６が形成されている。
【００３３】
図６と図７とを比較すると分かるように、図６に示すように連結部材５でルーバ３の間を全て塞いでもよいが、図７に示すように連結部材５でルーバ３の間を全て塞がないものにしてもよい。塞ぐ位置は下地材６の位置に合わせることにより美観の向上が可能になるが、塞がないことを活かすこととしては、連結部材５の配置場所を工夫することにより文字や図形等の標識の機能も持たせることもできる。標識としての機能は、図８に示す建築物の壁全体を示した場合から分かる通り、遠くからも視認が十分に行えるメッセージ性の強いものとできる。塞ぐか否かという点では、開口場所や開口率は、当初の段階で必要性に応じて調整を行って決めたものとなるが、その後の状況の変化から変更の必要性が生じることがあり得る。その場合には、連結部材の配置を変えて、開口場所と開口率の変更を行えばよい。また、開口場所や開口率とは別の問題として、連結部材５の一つが破損することもあり得るが、その場合には破損したもののみを交換すればよく、全体を一つの材料で覆うものと比べれば、メンテナンス負担が小さくてすむという点も大きなメリットになっている。
【００３４】
以下、このようなルーバ３と連結部材５の組み合わせ１によって得られるメリットのポイントをまとめる。まず、ルーバ３間を繋ぐ着脱可能な連結部材５によって、開口場所と開口率を調整、変更することができる。上記したように下地材６が用いられている場合には、その下地材６を隠すことができ、美観を向上させることができる。また、連結部材５の配置を工夫することによって、文字や図形等を表すことができ、標識として使うこともできる。さらに、連結部材５が複数のピースのように分かれていることによって、一部が破損したとしても、交換を容易に行える。加えて、連結部材５の取付にスライド構造を用いれば、その設置を簡単に行えるため、当初の取付時の他、開口場所や開口率の変更に合わせた着脱も簡単に行える。
【００３５】
図９は図３に示した連結部材とは形状が異なる連結部材を示した図である。図１０は図３及び図９に示した連結部材とは形状が異なる連結部材を示した図である。図１１は、図３、図９及び図１０に示した連結部材とは形状が異なる連結部材を示した図である。図１２は、図３の連結部材を用いた図５のルーバと連結部材との組み合わせに対応する図であって、図９、図１０及び図１１に示した連結部材を用いたルーバと連結部材との組み合わせを側面から見て拡大した図である。
【００３６】
図９に示す連結部材１９では、幅方向の一方側１９ａは図３の連結部材５の一方側５ａに対応し、他方側１９ｂは図３の連結部材５の他方側５ｂに対応し、一方側１９ａと他方側１９ｂとの間に大きな山形部分１９ｃが形成されている。
【００３７】
図１０に示す連結部材２１では、幅方向の一方側２１ａは図３の連結部材５の一方側５ａに対応し、他方側２１ｂは図３の連結部材５の他方側５ｂに対応し、一方側２１ａと他方側２１ｂとの間に小さな山形部分２１ｃが形成されている。
【００３８】
図１１に示す連結部材２３では、幅方向の一方側２３ａは図３の連結部材５の一方側５ａに対応し、他方側２３ｂは図３の連結部材５の他方側５ｂに対応し、一方側２３ａと他方側２３ｂとの間に小さな山形部分２３ｃ,２３ｄが連なって形成されている。
【００３９】
このような連結部材１９,２１,２３によって、図１２に示すように、図５とは異なる形状による美観を作り出すことができている。
【００４０】
図１３は、図３、図９、図１０及び図１１に示した連結部材とは形状が異なる連結部材を示した図である。なお、図１３（Ａ）〜（Ｆ）に示すような形状の連結部材などを用いてもよく、これら以外の形状のものを用いてもよい。
【符号の説明】
【００４１】
１・・・ルーバと連結部材の組み合わせ
３・・・ルーバ
５,１９,２１,２３,５１１,５１２・・・連結部材
１１ａ，１１ｂ・・・壁面部
【図１】
0006675123.tif 000002
【図２】
0006675123.tif 000003
【図３】
0006675123.tif 000004
【図４】
0006675123.tif 000005
【図５】
0006675123.tif 000006
【図６】
0006675123.tif 000007
【図７】
0006675123.tif 000008
【図８】
0006675123.tif 000009
【図９】
0006675123.tif 000010
【図１０】
0006675123.tif 000011
【図１１】
0006675123.tif 000012
【図１２】
0006675123.tif 000013
【図１３】
0006675123.tif 000014
【図１４】
0006675123.tif 000015
【図１５】
0006675123.tif 000016
【図１６】
0006675123.tif 000017